(57)【要約】【課題】一覧表示を行なった画像を有効に活用する。【解決手段】複数の撮影画像を記憶するフラッシュメモリ２９と、記憶されている複数の撮影画像に基づき、該複数の撮影画像を撮影時間情報に基づいて表示部２６にカレンダ画像として一覧表示するための一覧表示用の画像データを作成し、作成した一覧表示用の画像データを用いて１つの画像ファイルデータを生成してフラッシュメモリ２９に記録する制御部２２とを備える。【選択図】    図１
2004364039.tif 000002
【特許請求の範囲】
【請求項１】
複数の撮影画像を記憶する記憶手段と、
この記憶手段に記憶されている複数の撮影画像に基づき、該複数の撮影画像を所定のグループに分類分けして一覧表示するための一覧表示用の画像データを作成する作成手段と、
この作成手段で作成された一覧表示用の画像データを用いて１つの画像ファイルデータを生成するファイル生成手段と
を具備したことを特徴とする画像処理装置。
【請求項２】
上記作成手段で作成された一覧表示用の画像データに基づいて一覧表示する表示手段と、
上記ファイル生成手段による画像ファイルデータの生成を指示する指示手段とをさらに具備し、
上記ファイル生成手段は、上記表示手段に一覧表示されている状態で上記指示手段による指示があった場合に、一覧表示用の画像データを用いて１つの画像ファイルデータを生成する
ことを特徴とする請求項１記載の画像処理装置。
【請求項３】
上記ファイル生成手段で生成された画像ファイルデータを記録する記録手段をさらに具備したことを特徴とする請求項１または２記載の画像処理装置。
【請求項４】
上記ファイル生成手段で生成された画像ファイルデータを外部装置に送信する送信手段をさらに具備したことを特徴とする請求項１乃至３いずれか記載の画像処理装置。
【請求項５】
上記作成手段は、所定グループ単位毎に表示する撮影画像の数を所定数に制限して一覧表示するための画像データを作成することを特徴とする請求項１乃至４いずれか記載の画像処理装置。
【請求項６】
所定グループに含まれる複数の撮影画像の中から任意の撮影画像を選択する選択手段をさらに具備し、
上記作成手段は、上記選択手段で選択された撮影画像を、その所定グループの代表画像として表示するための一覧表示用の画像データを作成することを特徴とする請求項５記載の画像処理装置。
【請求項７】
上記作成手段は、上記記憶手段に記憶されている複数の撮影画像をその撮影時間に基づき、所定期間単位毎に分類分けして一覧表示するための一覧表示用の画像データを作成することを特徴とする請求項１乃至４いずれか記載の画像処理装置。
【請求項８】
上記作成手段は、所定期間に含まれる複数の撮影画像のうち、撮影時間が最も早いものを、その所定期間の代表画像として表示する一覧表示用の画像データを作成することを特徴とする請求項７記載の画像処理装置。
【請求項９】
所定期間に含まれる複数の撮影画像の中から任意のものを選択する選択手段をさらに具備し、
上記作成手段は、上記選択手段で選択された撮影画像を、その所定期間の代表画像として表示する一覧表示用の画像データを作成することを特徴とする請求項７記載の画像処理装置。
【請求項１０】
複数の撮影画像を記憶する記憶工程と、
この記憶工程で記憶した複数の撮影画像に基づき、該複数の撮影画像を所定のグループに分類分けして一覧表示するための一覧表示用の画像データを作成する作成工程と、
この作成工程で作成された一覧表示用の画像データを用いて１つの画像ファイルデータを生成するファイル生成工程と
を有したことを特徴とする画像処理方法。
【請求項１１】
複数の撮影画像を記憶する記憶ステップと、
この記憶ステップで記憶した複数の撮影画像に基づき、該複数の撮影画像を所定のグループに分類分けして一覧表示するための一覧表示用の画像データを作成する作成ステップと、
この作成ステップで作成された一覧表示用の画像データを用いて１つの画像ファイルデータを生成するファイル生成ステップと
をコンピュータに実行させることを特徴とするプログラム。
【発明の詳細な説明】
【０００１】
【発明の属する技術分野】
本発明は、デジタルスチルカメラ等に好適な画像処理装置、画像処理方法及びプログラムに関する。
【０００２】
【従来の技術】
近時、銀塩フィルムを使用するカメラに代わって、撮影画像をデジタルデータ化して取得可能なデジタルスチルカメラが広く一般に普及している。
【０００３】
この種のデジタルスチルカメラにおいて、再生モード時に記憶されている撮影画像の縮小画像を期間（年／月／日）毎にカレンダ表示するようにしたものが提案されている。（例えば、特許文献１参照。）
【０００４】
【特許文献１】
特開平１１−２１５４５７号公報
【０００５】
【発明が解決しようとする課題】
しかしながら、上記特許文献１には、カレンダ表示を行なう例が示されているのみであり、モニタ上のカレンダ画面を視認すること以外のカレンダ表示の有効な活用方法を提示するものではない。
【０００６】
本発明は上記のような実情に鑑みてなされたもので、その目的とするところは、一覧表示を行なった画像を有効に活用することが可能な画像処理装置、画像処理方法及びプログラムを提供することにある。
【０００７】
【課題を解決するための手段】
請求項１記載の発明は、複数の撮影画像を記憶する記憶手段と、この記憶手段に記憶されている複数の撮影画像に基づき、該複数の撮影画像を所定のグループに分類分けして一覧表示するための一覧表示用の画像データを作成する作成手段と、この作成手段で作成された一覧表示用の画像データを用いて１つの画像ファイルデータを生成するファイル生成手段とを具備したことを特徴とする。
【０００８】
このような構成とすれば、一覧表示用の画像データを作成した上でファイル化するようにしたので、当該画像ファイルデータを用いて適宜プリントアウトするなど、必要に応じて生成した画像ファイルデータを活用することができる。
【０００９】
請求項２記載の発明は、上記請求項１記載の発明において、上記作成手段で作成された一覧表示用の画像データに基づいて一覧表示する表示手段と、上記ファイル生成手段による画像ファイルデータの生成を指示する指示手段とをさらに具備し、上記ファイル生成手段は、上記表示手段に一覧表示されている状態で上記指示手段による指示があった場合に、一覧表示用の画像データを用いて１つの画像ファイルデータを生成することを特徴とする。
【００１０】
このような構成とすれば、上記請求項１記載の発明の作用に加えて、ユーザの指示に応じたタイミングで一覧表示用の画像データを用いて画像ファイルデータを生成することができるので、ユーザが必要と判断した場合のみ一覧表示の画像ファイルデータを得ることができる。
【００１１】
請求項３記載の発明は、上記請求項１または２記載の発明において、上記ファイル生成手段で生成された画像ファイルデータを記録する記録手段をさらに具備したことを特徴とする。
【００１２】
このような構成とすれば、上記請求項１または２記載の発明の作用に加えて、生成した画像ファイルデータを記録しておくことで以後何度でも画像ファイルデータを活用できる。
【００１３】
請求項４記載の発明は、上記請求項１乃至３いずれか記載の発明において、上記ファイル生成手段で生成された画像ファイルデータを外部装置に送信する送信手段をさらに具備したことを特徴とする。
【００１４】
このような構成とすれば、上記請求項１乃至３いずれか記載の発明の作用に加えて、生成した画像ファイルデータを外部装置に送信するため、外部装置としてパーソナルコンピュータや携帯電話機、プリンタ等を予め任意に接続しておくか、あるいは無線接続可能な環境を整えておくことで、画像ファイルデータを種々の方法で活用できる。
【００１５】
請求項５記載の発明は、上記請求項１乃至４いずれか記載の発明において、上記作成手段は、所定グループ単位毎に表示する撮影画像の数を所定数に制限して一覧表示するための画像データを作成することを特徴とする。
【００１６】
このような構成とすれば、上記請求項１乃至４いずれか記載の発明の作用に加えて、所定グループ単位毎に表示する撮影画像の数を制限することで、一覧表示用の画像データ全体がむやみに大きなものとなってしまうのを防止できる。
【００１７】
請求項６記載の発明は、上記請求項５記載の発明において、所定グループに含まれる複数の撮影画像の中から任意の撮影画像を選択する選択手段をさらに具備し、上記作成手段は、上記選択手段で選択された撮影画像を、その所定グループの代表画像として表示するための一覧表示用の画像データを作成することを特徴とする。
【００１８】
このような構成とすれば、上記請求項５記載の発明の作用に加えて、１つの所定グループに属する撮影画像が複数あり、表示できるものを制限しなければならない場合に、ユーザ自身が選択を行なうことでユーザの意図を反映させることができる。
【００１９】
請求項７記載の発明は、上記請求項１乃至４いずれか記載の発明において、上記作成手段は、上記記憶手段に記憶されている複数の撮影画像をその撮影時間に基づき、所定期間単位毎に分類分けして一覧表示するための一覧表示用の画像データを作成することを特徴とする。
【００２０】
このような構成とすれば、上記請求項１乃至４いずれか記載の発明の作用に加えて、一覧表示用の画像データを確認することでそのときに何を行なったか、などユーザの行動記録を確認することができる。
【００２１】
請求項８記載の発明は、上記請求項７記載の発明において、上記作成手段は、所定期間に含まれる複数の撮影画像のうち、撮影時間が最も早いものを、その所定期間の代表画像として表示する一覧表示用の画像データを作成することを特徴とする。
【００２２】
このような構成とすれば、上記請求項７記載の発明の作用に加えて、所定期間に対応する複数の撮影画像がある場合にその代表画像を自動的に選択するため、ユーザの手間を簡略化して迅速に一覧表示用の画像データを作成することができる。
【００２３】
請求項９記載の発明は、上記請求項７記載の発明において、所定期間に含まれる複数の撮影画像の中から任意のものを選択する選択手段をさらに具備し、上記作成手段は、上記選択手段で選択された撮影画像を、その所定期間の代表画像として表示する一覧表示用の画像データを作成することを特徴とする。
【００２４】
このような構成とすれば、上記請求項７記載の発明の作用に加えて、所定期間に対応する複数の撮影画像がある場合にその代表画像をユーザ自身が選択するため、ユーザの意図を反映した一覧表示用の画像データを作成することができる。
【００２５】
請求項１０記載の発明は、複数の撮影画像を記憶する記憶工程と、この記憶工程で記憶した複数の撮影画像に基づき、該複数の撮影画像を所定のグループに分類分けして一覧表示するための一覧表示用の画像データを作成する作成工程と、この作成工程で作成された一覧表示用の画像データを用いて１つの画像ファイルデータを生成するファイル生成工程とを有したことを特徴とする。
【００２６】
このような方法とすれば、一覧表示用の画像データを作成した上でファイル化するようにしたので、当該画像ファイルデータを用いて適宜プリントアウトするなど、必要に応じて生成した画像ファイルデータを活用することができる。
【００２７】
請求項１１記載の発明は、複数の撮影画像を記憶する記憶ステップと、この記憶ステップで記憶した複数の撮影画像に基づき、該複数の撮影画像を所定のグループに分類分けして一覧表示するための一覧表示用の画像データを作成する作成ステップと、この作成ステップで作成された一覧表示用の画像データを用いて１つの画像ファイルデータを生成するファイル生成ステップとをコンピュータに実行させることを特徴とする。
【００２８】
このようなプログラム内容とすれば、一覧表示用の画像データを作成した上でファイル化するようにしたので、当該画像ファイルデータを用いて適宜プリントアウトするなど、必要に応じて生成した画像ファイルデータを活用することができる。
【００２９】
【発明の実施の形態】
以下本発明をデジタルスチルカメラに適用した実施の一形態について図面を参照して説明する。
【００３０】
図１は、同実施の形態に係るデジタルスチルカメラ１０の回路構成を示すものである。同図で、基本モードである記録モードでのモニタリング状態においては、モータ（Ｍ）１１の駆動により合焦位置や絞り位置が移動される、撮影レンズを含むレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
【００３１】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒが生成され、ＤＭＡ（ＤｉｒｅｃｔＭｅｍｏｒｙ  Ａｃｃｅｓｓ）コントローラ１９に出力される。
【００３２】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００３３】
制御部２２は、ＣＰＵと、後述するカレンダ表示の処理を含むＣＰＵで実行される動作プログラムを固定的に記憶したＲＯＭ、及びワークメモリとして使用されるＲＡＭ、現在の日付及び時刻情報を電源のオン／オフ状態に関係なく計時し続ける時計部等により構成され、このデジタルスチルカメラ１０全体の制御動作を司るもので、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００３４】
デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００３５】
この表示部２６は、カラーＴＦＴ液晶パネルとバックライト装置、及びそれらの駆動回路で構成されるもので、記録モード時にはモニタ表示部（電子ファインダ）として機能し、デジタルビデオエンコーダ２５からのビデオ信号に基づいた表示を行なうことで、その時点でＶＲＡＭコントローラ２３から取込んでいる画像情報に基づく画像をリアルタイムに表示することとなる。
【００３６】
このように表示部２６にその時点での画像がモニタ画像としてリアルタイムに表示されている状態で、静止画撮影を行ないたいタイミングでキー入力部２７を構成するシャッタキーを操作すると、トリガ信号を発生する。
【００３７】
制御部２２は、このトリガ信号に応じてその時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する。
【００３８】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路２８に書込み、このＪＰＥＧ回路２８でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００３９】
そして、得た符号データを１画像のデータファイルとして該ＪＰＥＧ回路２８から読出し、このデジタルスチルカメラ１０の記録媒体として着脱自在に装着されるメモリカード内に封入された、不揮発性メモリであるフラッシュメモリ２９に書込む。
【００４０】
この際、フラッシュメモリ２９に書込む画像データのファイルに関しては、例えばシャッタキー操作時に図示せぬ時計部から得られる日付と時刻、及びシリアル番号とよりなる所定桁数、例えば「０３０３３１１２３４０００１．ｊｐｇ」のようなファイル名が自動的に付加されて記録されるものとする。
【００４１】
因みに、上記ファイル名「０３０３３１１２３４０００１．ｊｐｇ」は、「（２０）０３」年「０３」月「３１」日「１２」時「３４」分に撮影した「０００１」番目のＪＰＥＧ方式で圧縮した静止画データであることを示している。
【００４２】
なお、このフラッシュメモリ２９は、着脱可能なメモリカードではなく、デジタルスチルカメラ１０に内蔵されているものとしてもよく、さらにはメモリカードと内蔵のメモリの双方を併用するものとしてもよい。
【００４３】
そして、１フレーム分の輝度及び色差信号の圧縮処理及びフラッシュメモリ２９への全圧縮データの書込み終了に伴なって、制御部２２はＣＣＤ１３からＤＲＡＭ２１への経路を再び起動する。
【００４４】
また、制御部２２にはさらに、ＵＳＢインタフェース（Ｉ／Ｆ）３０が接続される。このＵＳＢインタフェース３０は、ＵＳＢコネクタ３１を介して有線接続される外部の情報機器、例えばパーソナルコンピュータとの間で画像データその他の送受を行なう場合の通信制御を行なう。
【００４５】
なお、上記キー入力部２７は、上述したシャッタキーの他に、上記電源キー、モードキー、ズームキー、メニューキー、十字キー、セットキー、及びディスプレイキー等から構成され、それらのキー操作に伴なう信号は直接制御部２２へ送出される。
【００４６】
しかるに、静止画像ではなく動画像の記録時においては、キー入力部２７のシャッタキーが操作され続けている間、上述した静止画像データのＤＲＡＭ２１への記録を時間的に連続して実行し、該シャッタキーの操作が終わるか、または所定の制限時間、例えば３０秒が経過した時点でそれら一連の静止画データを順次ＪＰＥＧ回路２８でデータ圧縮した後、データ圧縮した一連の静止画データを含むモーションＪＰＥＧの動画データファイルを生成し、フラッシュメモリ２９に記録する。
【００４７】
また、再生モード時には、制御部２２がフラッシュメモリ２９に記録されている画像データを選択的に読出し、ＪＰＥＧ回路２８で撮影モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容をＶＲＡＭコントローラ２３を介してＶＲＡＭ２４に記憶させ、このＶＲＡＭ２４より定期的に画像データを読出してビデオ信号を発生し、表示部２６で再生出力させる。
【００４８】
選択した画像データが静止画像ではなく動画像であった場合、選択した動画像データのファイルを構成する個々の静止画像データの再生を時間的に連続して実行し、すべての静止画像データの再生を終了した時点で、次に再生の指示がなされるまでその動画像データの先頭に位置する静止画像データのみを用いて再生表示する。
【００４９】
次に上記実施の形態の動作について説明する。
図２は、基本モードである再生モード中のカレンダ表示モードを設定した場合に実行される、主として制御部２２による処理内容を示すものである。
【００５０】
その処理当初には、制御部２２内部の図示しない時計部から得られる現在の日付情報とＲＯＭに記憶されているカレンダデータに対応して、現在の月のカレンダ上の各日付欄に、その日付に該当するファイル名を有する画像データを嵌め込むように配置したカレンダ画像をＤＲＡＭ２１上に展開して作成し（ステップＳ０１）、表示部２６に表示させる（ステップＳ０２）。
【００５１】
この場合、その日付に対応するファイル名の画像データが１つもない場合には、その日付欄には日付の数値のみを表示するものとし、反対にその日付に対応するファイル名の画像データが１つ乃至複数ある場合には、そのうちで最も時刻情報の情報が早いもの、換言すればその日の最初に撮影されたものを、その日付の代表画像として選択し、フラッシュメモリ２９より読出して日付欄の大きさに合わせて縮小した簡易画像を作成し、ＤＲＡＭ２１上に展開されたカレンダ画像中に嵌め込むように合成配置して表示させるものとする。
【００５２】
図３は、このようにして表示部２６に表示されるカレンダ画像を例示するものである。この月では、５日、１０日、２３日、及び２７日に対応する画像データがフラッシュメモリ２９に記録されており、それらを読出してカレンダ画像を作成して表示させている。
【００５３】
しかして、上記ステップＳ０２でカレンダ画像の表示を行なっている状態において、そのカレンダ画像中のいずれかの日付が指定されたか否か（ステップＳ０３）、このカレンダ画像を記録するキー操作がなされたか否か（ステップＳ０４）、あるいはこのカレンダ画像を外部機器に送信するキー操作がなされたか否か（ステップＳ０５）、を繰返し判断することで、これらのキー操作がなされるのを待機する。
【００５４】
上記ステップＳ０３の日付の指定の判断は、キー入力部２７の十字キーとセットキーの操作により、カレンダ画像中の任意の日付が指定されるのを判断するものであり、その指定がなされたと判断した場合には、その日付の画像を強調するべく、隣接する他の日付欄に一定幅分だけ、はみ出すようにして画像を大きく拡大して表示させる（ステップＳ０６）。
【００５５】
こうしてカレンダ画像中の任意の日付欄を強調して若干大きく表示した上で、画像をスクロールするための例えば十字キーの操作がなされたか否か（ステップＳ０７）、指定された日付欄の強調表示を解除するための例えばメニューキー操作がなされたか否か（ステップＳ０８）、を繰返し判断することで、これらのキー操作がなされるのを待機する。
【００５６】
画像をスクロールするためのキー操作がなされた場合、ステップＳ０７でこれを判断して、同じ日付欄に対応する他の画像を新たに表示させるべく更新表示処理を実行した上で（ステップＳ０９）、再び上記ステップＳ０６からの処理に戻る。
【００５７】
また、上記ステップＳ０８で指定された日付欄の強調表示を解除するためのキー操作がなされたと判断した場合には、そのキー操作に対応して強調表示されている日付欄を他の日付欄と同様の大きさの表示に戻す解除処理を実行した上で（ステップＳ１０）、上記ステップＳ０３からの処理に戻る。
【００５８】
さらに、上記ステップＳ０４のカレンダ画像の記録を指示するキー操作の判断は、例えばシャッタキーの操作がなされたか否かにより行なうもので、記録が指示されたと判断すると、直ちにその時点で表示部２６で表示しているカレンダ画像、すなわちＤＲＡＭ２１上に展開記憶されているカレンダ画像データをＪＰＥＧ回路２８で圧縮し、得た符号データを用いて新たな画像ファイルデータを作成し（ステップＳ１１）、作成した画像ファイルデータをフラッシュメモリ２９へ保存記録した上で（ステップＳ１２）、再び上記ステップＳ０３からの処理に戻る。
【００５９】
このように、作成した画像ファイルデータを撮影により得られた画像ファイルデータと同様の形態でフラッシュメモリ２９へ記録しておくことで、以後必要により何度でも作成した画像ファイルデータを活用できる。
【００６０】
また、上記ステップＳ０５のカレンダ画像の送信を指示するキー操作の判断は、例えばセットキーの操作がなされたか否かにより行なうもので、送信が指示されたと判断すると、直ちにその時点で表示部２６で表示しているカレンダ画像、すなわちＤＲＡＭ２１上に展開記憶されているカレンダ画像データをＪＰＥＧ回路２８で圧縮し、得た符号データを用いて新たな画像ファイルデータを作成し（ステップＳ１３）、作成した画像ファイルデータをＵＳＢインタフェース３０からＵＳＢコネクタ３１を介して有線接続されているパーソナルコンピュータ等の外部機器に送信出力した上で（ステップＳ１４）、再び上記ステップＳ０３からの処理に戻る。
【００６１】
このように、作成した画像ファイルデータをＵＳＢインタフェース３０を介して容易に外部装置に送信するため、外部装置としてパーソナルコンピュータや携帯電話機、プリンタ等を予め任意に接続しておくことで、作成したカレンダ画像の画像ファイルデータを容易に種々の方法で活用できる。
【００６２】
なお、上記実施の形態では、１つの日付欄に１つの代表画像のみを配置させるようなカレンダ画像を作成して表示させるものとしたが、１つの日付欄に複数の画像を配置させるようなカレンダ画像を作成して表示させるものとしてもよい。
【００６３】
例えば、その日に撮影されたすべての画像を１つの日付欄に配置させるようなカレンダ画像を作成して表示させるようにしたり、その日に撮影されたすべての画像のうち所定枚数（２，３枚等）の画像のみを代表画像として１つの日付欄に配置させるようなカレンダ画像を作成して表示させるようにしてもよい。
【００６４】
また、上記実施の形態では、日付欄毎に１つの代表画像をユーザが選択できるものとして構成したが、日付欄毎に複数の代表画像を選択できるようにし、選択された複数の代表画像が１つの日付欄に配置されるようなカレンダ画像を作成して表示するようにしてもよい。
【００６５】
さらに、上記実施の形態では、日付欄にデフォルトの代表画像としてその日の最初に撮影された画像を配置させるようなカレンダ画像を作成して表示させるものとしたが、その日に撮影された複数の画像中の中間に位置する画像や最後の画像、あるいは２番目、３番目等に撮影された画像を代表画像として配置させるようなカレンダ画像を作成して表示するものとしてもよい。
【００６６】
また、上記実施の形態では、ユーザによりカレンダ表示モードが選択された時点で、制御部２２内部の時計部から得られる現在の日付に基づいてカレンダデータをＲＯＭから読出し、バッファメモリであるＤＲＡＭ２１に展開記憶すると共に、フラッシュメモリ２９に記録されている各画像ファイルの撮影日付データを参照することにより当月中に撮影記録された画像ファイルのうち各日付毎に最初に記録されているものを縮小処理してＤＲＡＭ２１に展開されているカレンダデータ上の対応する日付欄に嵌め込み合成することによりカレンダ画像データを作成して表示するものとした。
【００６７】
しかしながら、下記に示すような他の手法を用いてカレンダ画像データを表示させるものとしてもよい。すなわち、記録モードでの撮影記録時に画像ファイル中にサムネイル画像（縮小画像）を埋込むか、あるいは画像ファイルと関連付けてサムネイル画像を記録するようにし、ユーザによりカレンダ表示モードが選択された際に、カレンダ画像データを作成するために必要な画像に対応するサムネイル画像を読出して、ＤＲＡＭ２１に展開されているカレンダデータ上の対応する日付欄に嵌め込み合成することによりカレンダ画像データを作成して表示するようにしてもよい。
【００６８】
この場合、サムネイル画像のサイズは、カレンダ画像データを作成する際にリサイズする必要のない、カレンダデータの日付欄に嵌め込むのに適したサイズとしておくことが望ましい。
【００６９】
また、撮影記録時に、画像ファイルの記録とは別に、カレンダ画像データ作成用のサムネイル画像を作成し、これを撮影日付データと対応付けてフラッシュメモリ２９内の所定領域等に記録するようにし、ユーザによりカレンダ表示モードが選択された際に、カレンダ画像データ作成用として記録されているサムネイル画像を読出してＤＲＡＭ２１に展開されているカレンダデータ上の対応する日付欄に嵌め込み合成することによりカレンダ画像データを作成して表示するようにしてもよい。
【００７０】
さらに、上記実施の形態では、デジタルスチルカメラに備えられているＵＳＢコネクタ３１のような外部接続端子から有線接続により画像ファイルデータを出力する場合について説明したが、カメラ機能付きの携帯電話端末のように通信機能が設けられている場合には、ユーザが所望する送信アドレス先に画像ファイルを送信することが可能となる。この場合、作成したカレンダ画像を送信相手に見せることが容易に実現できる。
【００７１】
また、上記実施の形態では、日付単位の月別カレンダを表示するカレンダ表示モードに本発明を適用した場合について説明したが、月単位の年別カレンダを表示するカレンダ表示モードや、時間単位の日付別カレンダを表示するカレンダ表示モード等に本発明を適用してもよい。
【００７２】
さらに、上記実施の形態では、撮影時間により分類される撮影画像を（カレンダ画像として）一覧表示するための一覧画像を作成して表示するものに本発明を適用した場合について説明したが、撮影時間ではなく、例えばＧＰＳ（Ｇｌｏｂａｌ  Ｐｏｓｉｔｉｏｎｉｇ  Ｓｙｓｔｅｍ：全地球測位システム）機能で取得した位置情報や施設名等を用いた撮影位置（場所）、ストロボ使用の有無などによる撮影条件、動画像と静止画像の別などの画像種別、あるいはユーザが任意に付与設定した分類コード等により分類分けされる画像を一覧表示するための一覧画像を作成して表示するものに本発明を適用するものとしてもよい。
【００７３】
また、上記実施の形態は、いずれも本発明を画像一覧表示機能を有するデジタルスチルカメラに適用した場合について説明したものであるが、ビデオムービーカメラや、カメラ機能付きの携帯電話端末もしくはＰＤＡ（Ｐｅｒｓｏｎａｌ  Ｄｉｇｉｔａｌ  Ａｓｓｉｓｔａｎｔ：携帯情報端末）もしくはパーソナルコンピュータ等に画像一覧表示機能を設けたものや、カメラ機能を有していない携帯電話端末もしくはＰＤＡもしくはパーソナルコンピュータもしくはテレビジョン受像機等に画像一覧表示機能を設けたものに本発明を適用することもでき、要は画像一覧表示機能を設けたものであればいずれも本発明を適用することができる。
【００７４】
その他、本発明は上記実施の形態に限らず、その要旨を逸脱しない範囲内で種々変形して実施することが可能であるものとする。
【００７５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００７６】
【発明の効果】
請求項１記載の発明によれば、一覧表示用の画像データを作成した上でファイル化するようにしたので、当該画像ファイルデータを用いて適宜プリントアウトするなど、必要に応じて生成した画像ファイルデータを活用することができる。
【００７７】
請求項２記載の発明によれば、上記請求項１記載の発明の効果に加えて、ユーザの指示に応じたタイミングで一覧表示用の画像データを用いて画像ファイルデータを生成することができるので、ユーザが必要と判断した場合のみ一覧表示の画像ファイルデータを得ることができる。
【００７８】
請求項３記載の発明によれば、上記請求項１または２記載の発明の効果に加えて、生成した画像ファイルデータを記録しておくことで以後何度でも画像ファイルデータを活用できる。
【００７９】
請求項４記載の発明によれば、上記請求項１乃至３いずれか記載の発明の効果に加えて、生成した画像ファイルデータを外部装置に送信するため、外部装置としてパーソナルコンピュータや携帯電話機、プリンタ等を予め任意に接続しておくか、あるいは無線接続可能な環境を整えておくことで、画像ファイルデータを種々の方法で活用できる。
【００８０】
請求項５記載の発明によれば、上記請求項１乃至４いずれか記載の発明の効果に加えて、所定グループ単位毎に表示する撮影画像の数を制限することで、一覧表示用の画像データ全体がむやみに大きなものとなってしまうのを防止できる。
【００８１】
請求項６記載の発明によれば、上記請求項５記載の発明の効果に加えて、１つの所定グループに属する撮影画像が複数あり、表示できるものを制限しなければならない場合に、ユーザ自身が選択を行なうことでユーザの意図を反映させることができる。
【００８２】
請求項７記載の発明によれば、上記請求項１乃至４いずれか記載の発明の効果に加えて、一覧表示用の画像データを確認することでそのときに何を行なったか、などユーザの行動記録を確認することができる。
【００８３】
請求項８記載の発明によれば、上記請求項７記載の発明の効果に加えて、所定期間に対応する複数の撮影画像がある場合にその代表画像を自動的に選択するため、ユーザの手間を簡略化して迅速に一覧表示用の画像データを作成することができる。
【００８４】
請求項９記載の発明によれば、上記請求項７記載の発明の効果に加えて、所定期間に対応する複数の撮影画像がある場合にその代表画像をユーザ自身が選択するため、ユーザの意図を反映した一覧表示用の画像データを作成することができる。
【００８５】
請求項１０記載の発明によれば、一覧表示用の画像データを作成した上でファイル化するようにしたので、当該画像ファイルデータを用いて適宜プリントアウトするなど、必要に応じて生成した画像ファイルデータを活用することができる。
【００８６】
請求項１１記載の発明によれば、一覧表示用の画像データを作成した上でファイル化するようにしたので、当該画像ファイルデータを用いて適宜プリントアウトするなど、必要に応じて生成した画像ファイルデータを活用することができる。
【図面の簡単な説明】
【図１】本発明の実施の一形態に係るデジタルスチルカメラの回路構成を示すブロック図。
【図２】同実施の形態に係るカレンダ表示モード時の処理内容を示すフローチャート。
【図３】同実施の形態に係るカレンダ表示画像を例示する図。
【符号の説明】
１０…デジタルスチルカメラ、１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…ＶＲＡＭコントローラ、２４…ＶＲＡＭ、２５…デジタルビデオエンコーダ、２６…表示部、２７…キー入力部、２８…ＪＰＥＧ回路、２９…フラッシュメモリ、３０…ＵＳＢインタフェース（Ｉ／Ｆ）、３１…ＵＳＢコネクタ。
【図１】
2004364039.tif 000003
【図２】
2004364039.tif 000004
【図３】
2004364039.tif 000005